(57)【要約】【課題】簡易的に未登録端末の利用を可能とする基地局、無線通信端末、通信システム及び端末登録方法を提供すること。【解決手段】フェムトセル基地局１００は、登録端末情報管理部１２０が、無線通信端末２００の設定情報をアドレス帳に登録し、該アドレス帳情報を基に通信可能な登録端末２１０を管理する登録端末情報管理機能と、フェムトセル基地局エリア内に登録端末２１０が在圏する場合、登録端末２１０のアドレス帳情報を収集するアドレス帳情報収集機能と、を備える。また、登録端末２１０は、フェムトセル基地局１００からアドレス帳情報収集信号を受信した場合、アドレス帳情報記憶部２１２に記憶しているアドレス帳情報をフェムトセル基地局１００に送信する。【選択図】図１
2012004723.tif 000002
【特許請求の範囲】
【請求項１】
アクセス限定セルを形成する基地局と、前記基地局に無線接続する無線通信端末と、を備える通信システムであって、
前記基地局は、
前記無線通信端末の設定情報をアドレス帳に登録し、該アドレス帳情報を基に通信可能な登録端末を管理する登録端末情報管理手段と、
前記基地局エリア内に前記登録端末が在圏する場合、前記登録端末のアドレス帳情報を収集するアドレス帳情報収集手段と、を備え、
前記無線通信端末は、
前記アドレス帳情報を記憶するアドレス帳情報記憶手段と、
前記基地局からアドレス帳情報収集信号を受信した場合、前記アドレス帳情報記憶手段に記憶している前記アドレス帳情報を前記基地局に送信する通信手段と、
を備える通信システム。
【請求項２】
アクセス限定セルを形成する基地局と、前記基地局に無線接続する無線通信端末と、を備える通信システムで使用される基地局であって、
前記無線通信端末の設定情報をアドレス帳に登録し、該アドレス帳情報を基に通信可能な登録端末を管理する登録端末情報管理手段と、
前記基地局エリア内に前記登録端末が在圏する場合、前記登録端末のアドレス帳情報を収集するアドレス帳情報収集手段と、
を備える基地局。
【請求項３】
基地局エリア外から前記エリア内に未登録端末が入る場合、前記アドレス帳情報に前記未登録端末が登録されているか照合し、一致する場合には前記未登録端末の前記エリア内の通信を許可する、請求項２記載の基地局。
【請求項４】
前記未登録端末の前記エリア内の通信許可は、端末認証処理による認証許可である、請求項３記載の基地局。
【請求項５】
所定ネットワークに接続されたサーバに、前記登録端末情報管理手段を設置する、請求項２記載の基地局。
【請求項６】
前記アドレス帳情報収集手段は、前記未登録端末が前記エリア内で通信許可された場合、前記未登録端末のアドレス帳情報を収集しない、請求項２記載の基地局。
【請求項７】
アクセス限定セルを形成する基地局と、前記基地局に無線接続する無線通信端末と、を備える通信システムで使用される無線通信端末であって、
前記アドレス帳情報を記憶するアドレス帳情報記憶手段と、
前記基地局からアドレス帳情報収集信号を受信した場合、前記アドレス帳情報記憶手段に記憶している前記アドレス帳情報を前記基地局に送信する通信手段と、
を備える無線通信端末。
【請求項８】
前記基地局に設定情報が登録された登録端末は、未登録端末が、前記基地局エリア内で通信する許可／非許可を前記アドレス帳情報に設定する、請求項７記載の無線通信端末。
【請求項９】
前記アドレス帳情報は、電話番号、メールアドレス、端末固有ＩＤ、又は着信履歴である、請求項７記載の無線通信端末。
【請求項１０】
アクセス限定セルを形成する基地局と、前記基地局に無線接続する無線通信端末と、を備える通信システムの端末登録方法であって、
前記基地局において、
前記無線通信端末の設定情報をアドレス帳に登録し、該アドレス帳情報を基に通信可能な登録端末を管理するステップと、
前記基地局エリア内に前記登録端末が在圏する場合、前記登録端末のアドレス帳情報を収集するステップと、を有し、
前記無線通信端末において、
前記アドレス帳情報を記憶するステップと、
前記基地局からアドレス帳情報収集信号を受信した場合、記憶している前記アドレス帳情報を前記基地局に送信するステップと、
を有する端末登録方法。
【請求項１１】
前記基地局において、基地局エリア外から前記エリア内に未登録端末が入る場合、前記アドレス帳情報に前記未登録端末が登録されているか照合するステップと、
前記照合が一致する場合には前記未登録端末の前記エリア内の通信を許可するステップと、を有する請求項１０記載の端末登録方法。
【発明の詳細な説明】
【技術分野】
【０００１】
本発明は、基地局、無線通信端末、通信システム及び端末登録方法に関する。
【背景技術】
【０００２】
近年の携帯電話や通信機能付き端末の普及に伴い、これらの携帯情報端末を複数所有するユーザが増加している。複数の端末を所有する場合には、端末毎に通信事業者に電話番号の登録申請を行う必要がある。このため、使用することのない端末でも固定料金を支払わなければならなく、着信の可能性を考えて各端末を常時携行しなければならない。また、課金や電話帳登録などのユーザの各種情報を一元管理できない。
【０００３】
特許文献１には、複数の端末で同一の電話番号を共有とし、ユーザの利用状況に応じて各端末の１つを有効として通信を行う携帯情報端末が記載されている。特許文献１に記載の携帯情報端末は、同一グループに属する端末を、各端末に固有のＩＤ情報を登録しておく。そして、特定省電力無線通信の有効範囲内にある各端末間で電話番号の使用権を授受し、その使用権のない端末の通信機能を無効化する。これに各端末間で電話番号を共用し、その使用権を持つ端末を用いて外部との通信が可能となる。
【０００４】
一方、一般家庭又はオフィスなどの建物内において、セル半径が数十メートル以下の狭小セル（フェムトセル：Femto Cell）をカバー範囲とする無線通信基地局装置（フェムトセル基地局、又はＨｏｍｅ  Ｎｏｄｅ−Ｂ等と称される。以下、「フェムトセル基地局」又は「ＨＮＢ」と記す。）の設置が検討されている。
【０００５】
３ＧＰＰ（3rd Generation Partnership Project）ＬＴＥ（Long term evolution）で検討されているフェムトセル基地局は、例えば、家庭に設置された場合、その家の家族だけにアクセスを制限するなどのように、限られたグループメンバーにだけアクセスを許可することが検討されている。このようなセルはアクセス限定セル（CSG cell: Closed Service Group cell）と呼ばれることもある。
【０００６】
また、アクセスが許可された携帯端末であるＵＥ（User Equipment)は、フェムトセル基地局に優先的に接続する。すなわち、ＵＥがフェムトセル基地局のエリアに入った場合、フェムトセルよりもセル半径が大きい既存の基地局（以下、「マクロセル」又は「マクロ基地局」と記す。）の電波を受信できたとしても、優先的に小セル無線通信基地局装置に接続する。
【先行技術文献】
【特許文献】
【０００７】
【特許文献１】特開２０００−２２４６５６号公報
【発明の概要】
【発明が解決しようとする課題】
【０００８】
しかしながら、このような従来の通信システムは、以下の課題があった。
【０００９】
（１）特許文献１記載の携帯情報端末は、自他含めて複数のユーザ・複数の電話番号であっても、簡易的な操作により使用権や通信機能無効化に対して、特定省電力無線通信の有効範囲内において各種情報を一元管理する必要がある。
【００１０】
（２）フェムトセル内無線通信システムでは、フェムトセルの無線通信可能な範囲が狭いことや接続数を制限するため、あらかじめ登録されている端末のみ利用可能としている。例えば、フェムトセルの利用に関するサービスでは、ユーザは申し込み後からサービスを利用し、さらに契約者以外の登録を行う場合に数週間を有する。そのため、ユーザの電話番号を変更した場合、後から複数台所有する場合、あるいは訪問者などに対してはサービスを利用できないという課題がある。将来、フェムトセル基地局が増加し、非登録ユーザが訪問先でのフェムトセル基地局利用を即座に、簡易的に行えない課題がある。
【００１１】
以上の課題から、登録しているユーザのみが利用できる非開放的な利用のため、非常に利用しにくい状況が考えられる。
【００１２】
本発明の目的は、簡易的に未登録端末の利用を可能とする基地局、無線通信端末、通信システム及び端末登録方法を提供することである。
【課題を解決するための手段】
【００１３】
本発明の通信システムは、アクセス限定セルを形成する基地局と、前記基地局に無線接続する無線通信端末と、を備える通信システムであって、前記基地局は、前記無線通信端末の設定情報をアドレス帳に登録し、該アドレス帳情報を基に通信可能な登録端末を管理する登録端末情報管理手段と、前記基地局エリア内に前記登録端末が在圏する場合、前記登録端末のアドレス帳情報を収集するアドレス帳情報収集手段と、を備え、前記無線通信端末は、前記アドレス帳情報を記憶するアドレス帳情報記憶手段と、前記基地局からアドレス帳情報収集信号を受信した場合、前記アドレス帳情報記憶手段に記憶している前記アドレス帳情報を前記基地局に送信する通信手段と、を備える構成を採る。
【００１４】
本発明の基地局は、アクセス限定セルを形成する基地局と、前記基地局に無線接続する無線通信端末と、を備える通信システムで使用される基地局であって、前記無線通信端末の設定情報をアドレス帳に登録し、該アドレス帳情報を基に通信可能な登録端末を管理する登録端末情報管理手段と、前記基地局エリア内に前記登録端末が在圏する場合、前記登録端末のアドレス帳情報を収集するアドレス帳情報収集手段と、を備える構成を採る。
【００１５】
本発明の無線通信端末は、アクセス限定セルを形成する基地局と、前記基地局に無線接続する無線通信端末と、を備える通信システムで使用される無線通信端末であって、前記アドレス帳情報を記憶するアドレス帳情報記憶手段と、前記基地局からアドレス帳情報収集信号を受信した場合、前記アドレス帳情報記憶手段に記憶している前記アドレス帳情報を前記基地局に送信する通信手段と、を備える構成を採る。
【００１６】
本発明の端末登録方法は、アクセス限定セルを形成する基地局と、前記基地局に無線接続する無線通信端末と、を備える通信システムの端末登録方法であって、前記基地局において、前記無線通信端末の設定情報をアドレス帳に登録し、該アドレス帳情報を基に通信可能な登録端末を管理するステップと、前記基地局エリア内に前記登録端末が在圏する場合、前記登録端末のアドレス帳情報を収集するステップと、を有し、前記無線通信端末において、前記アドレス帳情報を記憶するステップと、前記基地局からアドレス帳情報収集信号を受信した場合、記憶している前記アドレス帳情報を前記基地局に送信するステップと、を有する。
【発明の効果】
【００１７】
本発明によれば、フェムトセル基地局エリア内に在圏する端末が登録端末である場合、登録端末のアドレス帳情報が自動的に収集される。収集された情報により、未登録端末が在圏した場合、認証により通信可となる。したがって、アドレス帳を更新する簡易的な方法のみで未登録端末の通信利用が可能となるとともに、未登録端末は特に登録作業を行う必要がなくなる。無線通信端末は、既に利用しているアドレス帳の設定のみで利用可能であり、アドレス帳への登録方法により利用可否を設定するのみである。
【図面の簡単な説明】
【００１８】
【図１】本発明の実施の形態１に係る通信システムの構成を示すブロック図
【図２】上記実施の形態１に係る通信システムのフェムトセル基地局、登録端末、及び未登録端末の端末登録方法を説明する図
【図３】上記実施の形態１に係る通信システムの携帯端末情報管理及び携帯端末認証を説明する図
【図４】上記実施の形態１に係る通信システムの端末情報管理及び端末認証の処理を示すフロー図
【図５】本発明の実施の形態２に係る通信システムの通信システムのフェムトセル基地局、登録端末、及び未登録端末の端末登録方法を説明する図
【発明を実施するための形態】
【００１９】
以下、本発明の実施の形態について図面を参照して詳細に説明する。
【００２０】
（実施の形態１）
図１は、本発明の実施の形態１に係る通信システムの構成を示すブロック図である。図１においては、端末登録に直接関係しない機能ブロックの記載は省略されている。
【００２１】
図１に示すように、通信システムは、フェムトセル基地局１００と、フェムトセル基地局１００に無線接続する無線通信端末２００とを備える。無線通信端末２００は、登録端末２１０と、未登録端末２２０とからなり同一構成を採る。
【００２２】
[フェムトセル基地局１００]
フェムトセル基地局１００は、アンテナ１０１と、送受信部１１０と、登録端末情報管理部１２０と、制御部１３０とを備える。
【００２３】
送受信部１１０は、アンテナ１０１を介してフェムトセル内の無線通信端末２００とデータ及び制御情報の送信及び受信を行う。
【００２４】
登録端末情報管理部１２０は、登録端末２１０の設定情報（アドレス帳情報）を収集し管理する。詳細には、登録端末情報管理部１２０は、無線通信端末２００の設定情報をアドレス帳に登録し、該アドレス帳情報を基に通信可能な登録端末２１０を管理する登録端末情報管理機能と、フェムトセル基地局エリア内に登録端末２１０が在圏する場合、登録端末２１０のアドレス帳情報を収集するアドレス帳情報収集機能と、を備える。
【００２５】
ここで、登録端末情報管理部１２０は、未登録端末２２０がフェムトセル基地局エリア内で通信許可された場合であっても、未登録端末２２０のアドレス帳情報については収集しない。
【００２６】
また、登録端末情報管理部１２０は、未登録端末２２０の場合には、アドレス帳情報と照合による情報認証を行い、一致する場合には利用許可を制御部１３０へ通知する。アドレス帳情報が更新され、照合が不一致の状態に遷移した場合には、利用拒否を制御部１３０へ通知する。
【００２７】
制御部１３０は、登録端末２１０あるいは未登録端末２２０がフェムトセル内に在圏した場合、登録端末情報管理部１２０に通知する。また、制御部１３０は、登録端末情報管理部１２０から利用許可通知を受けた場合、未登録端末２２０との通信開始制御を行う。利用許可通知を受けた後、利用拒否通知を受けた場合、未登録端末２２０との通信停止制御を行う。
【００２８】
[無線通信端末２００]
登録端末２１０は、アンテナ２１０ａ、送受信部２１１、及びアドレス帳情報記憶部２１２を備える。また、未登録端末２２０は、アンテナ２２０ａ、送受信部２２１、及びアドレス帳情報記憶部２２２を備える。
【００２９】
登録端末２１０は、フェムトセル基地局１００からの報知情報を受信した場合やアドレス帳情報収集信号を受信した場合に、アドレス帳情報をフェムトセル基地局１００へ送信する。
【００３０】
送受信部２１１，２２１は、フェムトセル基地局１００とデータ及び制御情報の送信及び受信を行う。特に、登録端末２１０の送受信部２１１は、フェムトセル基地局１００からアドレス帳情報収集信号を受信した場合、アドレス帳情報記憶部２１２に記憶しているアドレス帳情報をフェムトセル基地局１００に送信する。
【００３１】
アドレス帳情報記憶部２１２，２２２は、自端末の設定情報をアドレス帳情報として記憶する。特に、登録端末２１０のアドレス帳情報記憶部２１２は、未登録端末２２０が、フェムトセル基地局エリア内で通信する許可／非許可を、自己のアドレス帳に設定及び解除を行う。
【００３２】
フェムトセル基地局１００と各端末２１０，２２０間の通信手段としては、基地局制御による無線通信、近距離無線通信、赤外線通信、可視光通信、音声通信、又は非接触通信のいずれでもよい。また、ケーブルを接続して情報を転送するようにしてもよい。また、メモリーカードなど媒体を介して情報を受け渡すようにしてもよい。
【００３３】
以下、上述のように構成された通信システムの動作について説明する。
【００３４】
図２は、フェムトセル基地局１００、登録端末２１０、及び未登録端末２２０の端末登録方法を説明する図である。
【００３５】
図２に示すように、フェムトセル基地局１００から無線信号を用いて送信される信号の及ぶ範囲をフェムトセル境界１０とする。この境界１０内をフェムトセル基地局エリア内、境界外をフェムトセル基地局エリア外とする。
【００３６】
無線通信端末２００は、このフェムトセル基地局エリア内であれば、フェムトセル基地局１００と通信が可能であり、フェムトセル基地局エリア外であれば、フェムトセル基地局１００と通信が不可である。
【００３７】
さらに、フェムトセル基地局エリア内であっても、あらかじめ登録された端末のみ通信を可能とする。例えば、登録端末２１０−１がフェムトセル境界１０を通過し、登録端末２１０−２となると、フェムトセル基地局１００と通信が可能となる。
【００３８】
未登録端末２２０は、フェムトセル基地局エリア内であったとしても、フェムトセル基地局１００と通信することができない。例えば、未登録端末２２０−１及び２３０−１がフェムトセル境界１０を通過し、未登録端末２２０−２及び２３０−２となったとしても、フェムトセル基地局１００と通信ができない。
【００３９】
本通信システムでは、未登録端末２３０でもフェムトセル基地局１００と通信可とすることを目的とする。
【００４０】
具体的には、登録端末２１０−１がフェムトセル境界１０を通過し、登録端末２１０−２となると、フェムトセル基地局１００から登録端末２１０−２に対して、登録端末２１０−２で設定されているフェムトセル基地局１００を利用可とする端末情報（アドレス帳情報）を収集する。
【００４１】
この利用可とする端末情報に未登録端末２３０の情報が設定されている場合には、未登録端末２３０も通信可とする。
【００４２】
例えば、登録端末２１０−２の利用可とする端末情報に未登録端末２３０−１が設定されている場合、未登録端末２３０−２は通信可となる。
【００４３】
端末情報の管理及び認証について図３を用いて説明する。
【００４４】
図３は、携帯端末情報管理及び携帯端末認証を説明する図であり、端末情報管理が、フェムトセル基地局内にある場合の例である。
【００４５】
登録端末２１０は、フェムトセル基地局１００と通信可である。
【００４６】
フェムトセル基地局１００は、ＩＰネットワーク３００を経由してサーバ（ＭＭＥ、ＧＷ）３１０に接続されている。なお、上記ＭＭＥ（Mobility Management Entity：移動管理装置）は、ＵＥの位置管理を行う。上記ＧＷ（集線装置）は、フェムトセル基地局１００をコアネットワークと接続する。
【００４７】
図３では、フェムトセル基地局１００において登録端末２１０から収集した端末情報管理３２０及び情報認証３３０を行う構成を示している。
【００４８】
図４は、端末情報管理及び端末認証の処理を示すフローチャートである。
【００４９】
上記フローは、登録端末処理４００、フェムトセル基地局処理４１０、及び未登録端末処理４２０に分類される。
【００５０】
<登録端末処理４００>
ステップＳ１では、登録端末２１０のアドレス帳情報記憶部２１２は、アドレス帳に未登録端末の情報設定を行う。
【００５１】
設定方法としては、アドレス帳の登録情報に、フェムトセル基地局と通信可／不可を設定するためのチェック機能を新規に追加する。あるいは、アドレス帳とは別に、新規にフェムトセル基地局と通信可／不可を設定するアドレス帳あるいは設定可能なアプリケーション機能を追加する。
【００５２】
また、設定情報としては、未登録端末２３０を特定可能な情報を用いる。例えば、電話番号、メールアドレス、端末固有ＩＤ、受信履歴、着信履歴を用いて設定する。
【００５３】
ステップＳ２では、登録端末２１０は、アドレス帳情報設定後、登録端末２１０がフェムトセルエリア内に在圏か否かを判別する。上記設定後、登録端末２１０がフェムトセルエリア内に在圏した場合、登録端末２１０からフェムトセル基地局１００へ設定情報を送信する（ステップＳ２のＹＥＳ）。登録端末２１０がフェムトセルエリア内に在圏しない場合、ステップＳ３に移行する。
【００５４】
ステップＳ３では、登録端末２１０は、フェムトセル内でアドレス帳の設定情報を更新したか否かを判別する。登録端末２１０がフェムトセルエリア内で例えばアドレス帳の設定情報を更新した場合、つまり設定情報に差分が発生した場合に登録端末２１０からフェムトセル基地局１００へ設定情報を送信する（ステップＳ３のＹＥＳ）。登録端末２１０がフェムトセルエリア内で例えばアドレス帳の設定情報を更新しない場合、ステップＳ４に移行する。
【００５５】
ステップＳ４では、登録端末２１０は、登録端末２１０の使用者に送信意思があるか否かを判別する。具体的には、登録端末２１０は、登録端末２１０の使用者に対して送信意思を確認するダイアログを表示させ、使用者意思で送信する／しないを決定する。
【００５６】
登録端末２１０の使用者意思で送信する場合、登録端末２１０からフェムトセル基地局１００へ設定情報を送信する（ステップＳ４のＹＥＳ）。使用者意思で送信を行わない場合、登録端末から自動的に送信を行う（ステップＳ４のＮＯ）。
【００５７】
なお、フェムトセル基地局１００からの送信を要求する信号により、要求信号を受信すると登録端末２１０が送信を行うようにしてもよい。
【００５８】
<フェムトセル基地局処理４１０>
ステップＳ５では、フェムトセル基地局１００の登録端末情報管理部１２０は、情報管理テーブル（ここではアドレス帳）を所持し、情報管理テーブルの更新処理を行う。更新情報としては登録端末２１０が送信した設定情報を用いる。例えば、電話番号、メールアドレス、端末固有ＩＤ、着信履歴を用いて更新する。
【００５９】
更新情報を未登録端末２３０に通知することも可能である。例えば、メールアドレス更新後、未登録端末２３０に対してフェムトセル基地局１００との通信が可能である情報を通知する機能を有してもよい。
【００６０】
ステップＳ６では、フェムトセル基地局１００の制御部１３０は、未登録端末２３０がフェムトセルエリア内に在圏か否かを判別する。未登録端末２３０がフェムトセルエリア内に在圏した場合（ステップＳ６のＹＥＳ）、ステップＳ７に移行し、未登録端末２３０がフェムトセルエリア内に在圏しない場合（ステップＳ６のＮＯ）、本フローを終了する。
【００６１】
ステップＳ７では、制御部１３０は、認証を行う。フェムトセル基地局１００において認証されると、未登録端末処理４２０に移行する（ステップＳ７のＹＥＳ）。フェムトセル基地局１００において認証されると、本フローを終了する。
【００６２】
<未登録端末処理４２０>
フェムトセル基地局１００において認証されると、ステップＳ８で制御部１３０は、即通信可とする。あるいは、制御部１３０は、パスワードなど個別認証により通信可とする、又は、フェムトセル登録端末が在圏時のみ通信可とすることができる。
【００６３】
上記ステップＳ４で使用者に送信意思がない場合、上記ステップＳ６で情報管理テーブルが更新されてておらず未登録端末２３０がフェムトセルエリア内に在圏しない場合、上記ステップＳ７で認証されていない場合には通話不可となる。
【００６４】
以上詳細に説明したように、本実施の形態によれば、フェムトセル基地局１００は、登録端末情報管理部１２０が、無線通信端末２００の設定情報をアドレス帳に登録し、該アドレス帳情報を基に通信可能な登録端末２１０を管理する登録端末情報管理機能と、フェムトセル基地局エリア内に登録端末２１０が在圏する場合、登録端末２１０のアドレス帳情報を収集するアドレス帳情報収集機能と、を備える。また、登録端末２１０は、フェムトセル基地局１００からアドレス帳情報収集信号を受信した場合、アドレス帳情報記憶部２１２に記憶しているアドレス帳情報をフェムトセル基地局１００に送信する。登録端末２１０は、未登録端末２３０が、フェムトセル基地局エリア内で通信する許可／非許可を、自己のアドレス帳に設定及び解除可能である。
【００６５】
これにより、フェムトセル基地局エリア内に入る無線通信端末２００がフェムトセル基地局１００にあらかじめ登録されている登録端末２１０である場合、前記エリアに入ると、フェムトセル基地局１００の登録端末情報管理部１２０は、登録端末２１０のアドレス帳情報を自動的に収集する。収集されたアドレス帳内に登録されている未登録端末２２０がフェムトセル基地局内に入る場合、登録端末情報管理部１２０は、登録端末２１０から収集されたアドレス情報と照合し、一致すればフェムトセル基地局エリア内での未登録端末２３０の通信及び通話を許可する。すなわち、登録端末２１０がフェムトセル基地局エリア内に入ると、この登録端末２１０に登録されている未登録端末２３０の設定情報が自動的に収集されることにより、未登録端末２３０の設定情報がフェムトセル基地局１００側で管理され、未登録端末２３０がフェムトセル基地局エリアに入ると自動的に認証を行い、認証が成立するとフェムトセル内の通信を可能とすることができる。
【００６６】
未登録端末２３０の設定情報は、登録端末２１０のアドレス帳に設定及び非設定による更新のみで行えることができるため、未登録端末２３０ユーザは、特に登録作業を行うことなく通話が可能となる。
【００６７】
このように、登録端末２１０のアドレス帳に、所望の未登録端末２３０の設定情報を追加しておくだけで、未登録端末２３０は、特に登録作業を行うことなく通話が可能となる。
【００６８】
また、現在端末で用いているアドレス帳で利用可能であり、アドレス帳への登録方法を変えてフェムトエリアで利用可能かどうか保存しておくだけでよい。このため、登録端末側においても設定追加に関して簡易に設定することが可能である。フェムトセル基地局側もアドレス帳のデータ収集、照合のみで実現できるので大きな機能追加が発生することはなく、システム変更等が発生することなく実施が容易である。
【００６９】
（実施の形態２）
実施の形態２は、端末情報管理が、サーバ（ＭＭＥ、ＧＷ）内にある場合の例である。
【００７０】
図５は、本発明の実施の形態２に係る通信システムの携帯端末情報管理及び携帯端末認証を説明する図である。図３と同一構成部分には同一符号を付して重複箇所の説明を省略する。
【００７１】
本発明の実施の形態２における通信システムの基本的な構成及び動作は、実施の形態１と同様である。
【００７２】
登録端末２２０は、フェムトセル基地局１００と通信可である。
【００７３】
フェムトセル基地局１００は、ＩＰネットワーク３００を経由してサーバ（ＭＭＥ、ＧＷ）３１０に接続されている。図５では、サーバ（ＭＭＥ、ＧＷ）３１０において登録端末２２０から収集した端末情報管理３２０を行い、フェムトセル基地局１００において情報認証３３０を行う構成を示している。
【００７４】
このように、本実施の形態によれば、フェムトセル基地局１００は、ＩＰネットワーク３００を経由してサーバ３１０に、登録端末情報管理機能を設置している。実施の形態１と同様の効果を得ることができる。
【００７５】
以上の説明は本発明の好適な実施の形態の例証であり、本発明の範囲はこれに限定されることはない。
【００７６】
上記各実施の形態では、基地局、無線通信端末、通信システム及び端末登録方法という名称を用いたが、これは説明の便宜上であり、装置は移動通信システム，基地局装置，携帯情報端末、方法は通信制御方法等であってもよい。
【００７７】
さらに、上記フェムトセル基地局及び無線通信端末を構成する各構成部、例えば送受信部の種類、認証方法などは前述した実施の形態に限られない。
【００７８】
上記各実施の形態では、本発明をハードウェアで構成する場合を例にとって説明したが、本発明はソフトウェアで実現することも可能である。
【００７９】
また、上記各実施の形態の説明に用いた各機能ブロックは、典型的には集積回路であるＬＳＩとして実現される。これらは個別に１チップ化されてもよいし、一部又は全てを含むように１チップ化されてもよい。ここでは、ＬＳＩとしたが、集積度の違いにより、ＩＣ、システムＬＳＩ、スーパーＬＳＩ、ウルトラＬＳＩと呼称されることもある。
【００８０】
また、集積回路化の手法はＬＳＩに限るものではなく、専用回路又は汎用プロセッサで実現してもよい。ＬＳＩ製造後に、プログラムすることが可能なＦＰＧＡ（Field Programmable Gate Array）や、ＬＳＩ内部の回路セルの接続や設定を再構成可能なリコンフィギュラブル・プロセッサを利用してもよい。
【００８１】
さらには、半導体技術の進歩又は派生する別技術によりＬＳＩに置き換わる集積回路化の技術が登場すれば、当然、その技術を用いて機能ブロックの集積化を行ってもよい。例えば、バイオ技術の適用等が可能である。
【産業上の利用可能性】
【００８２】
本発明の基地局、無線通信端末、通信システム及び端末登録方法は、フェムトセル未登録端末の登録方法として有用である。本発明の通信システム及び端末登録方法は、携帯電話通信システムに利用できる。
【符号の説明】
【００８３】
１００  フェムトセル基地局
１０１，２１０ａ，２２０ａ  アンテナ
１１０，２１１，２２１  送受信部
１２０  登録端末情報管理部
１３０  制御部
２００  無線通信端末
２１０，２１０−１，２１０−２  登録端末
２１２，２２２  アドレス帳情報記憶部
２２０，２２０−１，２２０−２，２３０−１，２３０−２  未登録端末
【図１】
2012004723.tif 000003
【図２】
2012004723.tif 000004
【図３】
2012004723.tif 000005
【図４】
2012004723.tif 000006
【図５】
2012004723.tif 000007